(57)【要約】【課題】新たな皮膚疾患の指標の検出方法を提供する。【解決手段】（ｉ）一次繊毛数、及び、（ｉｉ）ロリクリン量及び／又はフィラグリン量を、皮膚疾患の指標とする。【選択図】なし【特許請求の範囲】
【請求項１】
被験体から採取された免疫関連細胞における（ｉ）一次繊毛数と、（ｉｉ）ロリクリン量及び／又はフィラグリン量と、を検出する工程を含む、皮膚疾患の指標の検出方法。
【請求項２】
前記免疫関連細胞が、ケラチノサイトである請求項１記載の検出方法。
【請求項３】
前記皮膚疾患が、アトピー性皮膚炎、尋常性乾癬、膿疱性乾癬、掌蹠膿疱症、尋常性魚鱗癬、紅斑性角化症局面、又はロリクリン角化症である請求項１又は２記載の検出方法。
【請求項４】
被験試料が皮膚疾患に対する抑制作用を有する物質であるか否かを評価する評価方法であって、
皮膚疾患を罹患した被験体から採取された免疫関連細胞に被験試料を接触させる工程と、
前記被験試料を接触させた免疫関連細胞における（ｉ）一次繊毛数と、（ｉｉ）ロリクリン量及び／又はフィラグリン量を検出する工程と、を有する評価方法。
【請求項５】
前記免疫関連細胞が、ケラチノサイトである請求項４記載の評価方法。
【請求項６】
前記皮膚疾患が、アトピー性皮膚炎、尋常性乾癬、膿疱性乾癬、掌蹠膿疱症、尋常性魚鱗癬、紅斑性角化症局面、又はロリクリン角化症である請求項４又は５記載の評価方法。
【請求項７】
一次繊毛を有する免疫関連細胞から一次繊毛を除去する作用を有する一次繊毛除去作用物質を有効成分として含有する、ロリクリン量及び／又はフィラグリン量の増加剤。
【請求項８】
（ｉ）一次繊毛に対する特異的結合物質と、（ｉｉ）ロリクリンに対する特異的結合物質及び／又はフィラグリンに対する特異的結合物質と、を備えている、皮膚疾患の検査キット。
【発明の詳細な説明】
【技術分野】
【０００１】
本発明は、皮膚疾患の指標の検出方法、物質の評価方法、並びに、ロリクリン量及び／又はフィラグリン量の増加剤に関する。
【背景技術】
【０００２】
一次繊毛は、微小管を内部骨格として有するアンテナ様の器官である。非運動性である一次繊毛は、当該一次繊毛の表面に存在する様々な受容体を介して、細胞外のシグナルを細胞内へ伝達する。略全ての細胞が一次繊毛を有することが知られているが、免疫細胞については、一次繊毛を有することについて報告されていなかった。近年の研究によって、株化された免疫細胞が一次繊毛を有することが明らかになった（非特許文献１参照）。
【０００３】
一次繊毛の異常によって、繊毛病と総称される様々な病気が発症することが知られている。例えば、癌細胞における一次繊毛の機能に関する研究は進んでおり、病巣部位では、一次繊毛が異常に増加、又は異常に減少していることが知られている。しかしながら、一次繊毛の異常によって発症する病気の大部分は現時点で未知であり、一次繊毛の異常によって発症する病気の究明が求められている。
【０００４】
ところで、ロリクリンは、フィラグリンと同様に、ケラチノサイトによって生産されるタンパク質であり、表皮の最外層を構成する角質層の形成に重要な役割を果たしている。ケラチノサイトは基底膜にて生じた後、分化しながら移動し、有棘層、及び顆粒層を経て、角質層に至る。ロリクリン、及びフィラグリンは、顆粒層に至ったケラチノサイトによって生産され、ケラチノサイトによる角質層の形成に重要な役割を担っている。
【０００５】
近年、フィラグリン遺伝子の変異によって、アトピー性皮膚炎、及び尋常性乾癬が発症することが報告されている。そして、当該報告に基づいて、アトピー性皮膚炎などの予防、及び治療を目的とした、フィラグリン量の増加剤が提案されている（特許文献１及び２参照）。
【０００６】
また、近年、アトピー性皮膚炎ではロリクリンが減少すること、及び、ロリクリン遺伝子の変異によって尋常性乾癬が発症することが報告されている。
【先行技術文献】
【特許文献】
【０００７】
【特許文献１】ＷＯ２０１４／０１７３１９
【特許文献２】特開２０１７−８８５５９号公報
【非特許文献】
【０００８】
【非特許文献１】Prosser SL, Morrison CG, J. Cell Biol., 2015 Mar 16, 208(6), 693-701
【発明の概要】
【発明が解決しようとする課題】
【０００９】
アトピー性皮膚炎等の皮膚疾患の病状は、改善したり、悪化したりを繰り返す傾向があり、その診断は難しい。このため、上述した従来の皮膚疾患の判定方法のみでは十分とはいえず、新たな皮膚疾患の診断のための指標の検出方法の開発が求められていた。
【００１０】
本発明の一実施形態は、前記問題点に鑑みなされたものであり、その目的は、新たな皮膚疾患の指標の検出方法を提供することにある。
【課題を解決するための手段】
【００１１】
本発明者らは、前記課題を解決するため鋭意検討した結果、免疫関連細胞における一次繊毛数と、ロリクリン量及び／又はフィラグリン量とが、皮膚疾患の発症リスクと密接に関連していることを新たに見出し、本発明を完成するに至った。
【００１２】
前記の課題を解決するために、本発明の一態様に係る皮膚疾患の指標の検出方法は、被験体から採取された免疫関連細胞における（ｉ）一次繊毛数と、（ｉｉ）ロリクリン量及び／又はフィラグリン量と、を検出する工程を含む。
【００１３】
本発明の一態様に係る皮膚疾患の指標の検出方法では、前記免疫関連細胞が、ケラチノサイトであり得る。
【００１４】
本発明の一態様に係る皮膚疾患の指標の検出方法では、前記皮膚疾患が、アトピー性皮膚炎、尋常性乾癬、膿疱性乾癬、掌蹠膿疱症、尋常性魚鱗癬、紅斑性角化症局面、又はロリクリン角化症であり得る。
【００１５】
前記の課題を解決するために、本発明の一態様に係る評価方法は、被験試料が皮膚疾患に対する抑制作用を有する物質であるか否かを評価する評価方法であって、皮膚疾患を罹患した被験体から採取された免疫関連細胞に被験試料を接触させる工程と、前記被験試料を接触させた免疫関連細胞における（ｉ）一次繊毛数と、（ｉｉ）ロリクリン量及び／又はフィラグリン量を検出する工程と、を有する。
【００１６】
本発明の一態様に係る評価方法では、前記免疫関連細胞が、ケラチノサイトであり得る。
【００１７】
本発明の一態様に係る評価方法では、前記皮膚疾患が、アトピー性皮膚炎、尋常性乾癬、膿疱性乾癬、掌蹠膿疱症、尋常性魚鱗癬、紅斑性角化症局面、又はロリクリン角化症であり得る。
【００１８】
前記の課題を解決するために、本発明の一態様に係るロリクリン量及び／又はフィラグリン量の増加剤は、一次繊毛を有する免疫関連細胞から一次繊毛を除去する作用を有する一次繊毛除去作用物質を有効成分として含有する。
【００１９】
前記の課題を解決するために、本発明の一態様に係る皮膚疾患の検査キットは、（ｉ）一次繊毛に対する特異的結合物質と、（ｉｉ）ロリクリンに対する特異的結合物質及び／又はフィラグリンに対する特異的結合物質と、を備えている。
【発明の効果】
【００２０】
本発明の一態様によれば、客観的かつ定量的な、皮膚疾患の発症リスクの判定指標を提供することができる。
【図面の簡単な説明】
【００２１】
【図１】本発明の実施例における、一次繊毛の形成率のグラフである。
【図２】本発明の実施例における、一次繊毛数とロリクリン量との関係を示すグラフ（ａ）、及び一次繊毛数とフィラグリン量との関係を示すグラフ（ｂ）である。
【図３】本発明の実施例における、正常な皮膚組織内の未成熟なケラチノサイトの分布（ａ）、及び皮膚疾患を患っている皮膚組織内の未成熟なケラチノサイトの分布（ｂ）を示す像である。
【発明を実施するための形態】
【００２２】
本発明の一実施形態について説明すると以下の通りであるが、本発明はこれに限定されない。本発明は、以下に説明する各構成に限定されるものではなく、特許請求の範囲に示した範囲で種々の変更が可能であり、異なる実施形態及び実施例にそれぞれ開示された技術的手段を適宜組み合わせて得られる実施形態及び実施例についても本発明の技術的範囲に含まれる。また、本明細書中に記載された文献の全てが、本明細書中において参考文献として援用される。本明細書中、数値範囲に関して「Ａ〜Ｂ」と記載した場合、当該記載は「Ａ以上Ｂ以下」を意図する。
【００２３】
〔１．皮膚疾患の指標の検出方法〕
本発明の一実施形態の「皮膚疾患の指標の検出方法」は、「皮膚疾患を診断するための指標の検出方法」であってもよく、「皮膚疾患を診断するためのデータの取得方法」であってもよく、「皮膚疾患を診断するための補助方法」であってもよい。
【００２４】
本発明の一実施形態の皮膚疾患の指標の検出方法は、被験体から採取された免疫関連細胞における（ｉ）一次繊毛数と、（ｉｉ）ロリクリン量及び／又はフィラグリン量と、を検出する工程を含む。当該構成であれば、客観的かつ定量的な、皮膚疾患の発症リスクの判定指標を提供することができる。
【００２５】
本明細書において、「皮膚疾患の発症リスク」とは、例えば、（ａ）皮膚疾患が治癒した皮膚が皮膚疾患を再発するリスク、（ｂ）皮膚疾患が治癒しつつある皮膚が皮膚疾患を悪化させるリスク、（ｃ）皮膚疾患を患っている皮膚が皮膚疾患を悪化させるリスク、又は（ｄ）皮膚疾患を患っていない皮膚に新たに皮膚疾患が発症するリスクを意図する。
【００２６】
前記皮膚疾患は、特に限定されず、例えば、アトピー性皮膚炎、尋常性乾癬、膿疱性乾癬、掌蹠膿疱症、尋常性魚鱗癬、紅斑性角化症局面、及びロリクリン角化症を挙げることができる。比較的症状が重く、各疾患に適した治療が必要であるという観点から、皮膚疾患は、アトピー性皮膚炎、尋常性乾癬、膿疱性乾癬、及び掌蹠膿疱症が好ましい。
【００２７】
前記被験体は、特に限定されず、例えば、ヒト、及び非ヒト動物を挙げることができる。非ヒト動物は、特に限定されず、例えば、実験動物、愛玩動物、及び家畜を挙げることができ、より具体的に、マウス、ラット、ウサギ、ネコ、イヌ、ウシ、ヒツジ、ヤギ、ブタ、及びウマを挙げることができる。前記被験体は、上述したヒト、又は非ヒト動物から採取された組織（例えば、皮膚組織）であってもよい。
【００２８】
前記免疫関連細胞には、免疫反応を主に担当する免疫細胞と、免疫細胞に間接的に関与する免疫機能保有細胞とが包含される。免疫機能保有細胞は、例えば、免疫細胞を活性化させる機能を有している。免疫細胞としては、例えば、皮膚樹状細胞（例えば、ランゲルハンス細胞、真皮樹状細胞）、リンパ球系の免疫細胞（例えば、Ｔ細胞、ＮＫ細胞、Ｂ細胞）、及び単球系の免疫細胞（例えば、通常型樹状細胞、単球系樹状細胞（例えば、形質細胞様樹状細胞））を挙げることができる。一方、免疫機能保有細胞としては、例えば、ケラチノサイト、繊維芽細胞、及び上皮細胞を挙げることができる。皮膚疾患の発症リスクをより精度高く判定するという観点から、免疫関連細胞としては、ケラチノサイトが好ましい。
【００２９】
〔Ａ−１〕一次繊毛数の検出
本実施の形態の皮膚疾患の指標の検出方法では、皮膚疾患の指標の１つとして、免疫関連細胞における一次繊毛数を検出する。
【００３０】
正常検体における免疫関連細胞は、一般的に、免疫関連細胞１個あたり、１本以下の一次繊毛を有している。それ故に、本実施の形態の皮膚疾患の指標の検出方法にて一次繊毛数を検出する場合、例えば、（ａ）免疫関連細胞１個あたりの一次繊毛数を検出してもよいし、（ｂ）所定の数の免疫関連細胞あたりの、一次繊毛を有する免疫関連細胞の割合を検出してもよいし、（ｃ）前記（ａ）及び（ｂ）の両方の検出を行ってもよい。
【００３１】
例えば、上述した（ａ）の場合、下記の式（Ｉ）にしたがって、［免疫関連細胞の一次繊毛の形成率］として、一次繊毛数を算出することができる；
［免疫関連細胞の一次繊毛の形成率］＝〔［検体に含まれる免疫関連細が有する一次繊毛の全数］／［検体に含まれる免疫関連細胞の全数］〕×１００  ・・・式（Ｉ）。
【００３２】
例えば、上述した（ｂ）の場合、下記の式（ＩＩ）にしたがって、［免疫関連細胞の一次繊毛の形成率］として、一次繊毛数を算出することができる；
［免疫関連細胞の一次繊毛の形成率］＝〔［検体に含まれる一次繊毛を有する免疫関連細胞の全数］／［検体に含まれる免疫関連細胞の全数］〕×１００  ・・・式（ＩＩ）。
【００３３】
一次繊毛数の検出は、例えば、公知の免疫組織化学染色法によって行うことができる。具体的に、一次繊毛数の検出は、被験検体含有試料（例えば、被験検体をパラフィン包埋切片化したもの）と、一次繊毛に対する特異的結合物質（以下、「第１の特異的結合物質」と呼ぶ）とを接触させて、第１の特異的結合物質を被験検体含有試料に含まれる一次繊毛に結合させ、当該第１の特異的結合物質に結合した標識物質を検出することによって行うことができる。なお、被験検体含有試料（例えば、被験検体をパラフィン包埋切片化したもの）の作製方法は、限定されず、公知の方法を用いることができる。
【００３４】
第１の特異的結合物質としては、一次繊毛のマーカーとなる物質に特異的に結合する物質（例えば、抗体（一次抗体））を挙げることができる。一次繊毛のマーカーとなる物質としては、例えば、ＡＤＰリボシル化因子様タンパク質（Ａｒｌ１３Ｂ）、アセチル化チューブリン、アデニル酸シクラーゼＩＩＩ、ネフロシスチン３（ＮＰＨＰ３）、鞭毛内輸送タンパク質（ＩＦＴ８８）、ソマトスタチンレセプター３（ｓｓｔｒ３）、ポリシステン−１（ＴＲＰＣ１）、一過性受容体電位バニロイド４（ＴＲＰＶ４）、血小板由来成長因子レセプターα（ＰＤＧＦＲα）、及びスムーズンド（Ｓｍｏ）を挙げることができる。
【００３５】
上述したように、第１の特異的結合物質としては、例えば、一次繊毛のマーカーとなる物質に特異的に結合する抗体を挙げることができる。当該抗体としては、例えば、モノクローナル抗体、ポリクローナル抗体、及びこれら抗体の断片（例えば、Ｆａｂフラグメント、Ｆ（ａｂ’）２フラグメント、及び単鎖抗体）を挙げることができる。
【００３６】
モノクローナル抗体は、例えば、免疫関連細胞の一次繊毛のマーカーに対するモノクローナル抗体を生産するハイブリドーマを所望の培地中にて培養して培養上清を得、必要に応じて当該培養上清を精製することによって得ることができる。ハイブリドーマは、免疫関連細胞の一次繊毛のマーカーを動物（例えば、マウス、ラット）の静脈内、皮下、又は腹腔内に投与した後、当該動物から抗体産生細胞を得、当該抗体産生細胞とミエローマ細胞とを細胞融合させることによって得ることができる。
【００３７】
ポリクローナル抗体は、例えば、免疫関連細胞の一次繊毛のマーカーを動物（例えば、ウサギ）の静脈内、皮下、又は腹腔内に投与した後、当該動物から血清を得、必要に応じて当該血清を精製することによって得ることができる。
【００３８】
Ｆａｂフラグメントは、例えば、免疫関連細胞の一次繊毛のマーカーに対するモノクローナル抗体をパパインによって消化し、必要に応じて当該消化産物を精製することによって得ることができる。
【００３９】
Ｆ（ａｂ’）２フラグメントは、例えば、免疫関連細胞の一次繊毛のマーカーに対するモノクローナル抗体をペプシンによって消化し、必要に応じて当該消化産物を精製することによって得ることができる。
【００４０】
単鎖抗体は、例えば、免疫関連細胞の一次繊毛のマーカーに対するモノクローナル抗体の軽鎖の可変領域をコードする核酸と、リンカーをコードする核酸と、当該モノクローナル抗体の重鎖の可変領域をコードする核酸とを連結させた核酸構築物を含有するファージミドベクターを宿主細胞に導入し、当該宿主細胞内にて核酸構築物にコードされるポリペプチドを発現させ、必要に応じて当該ポリペプチドを精製することによって得ることができる。
【００４１】
前記標識物質は、蛍光、又は色などの検出可能なシグナルを生成できる物質（例えば、蛍光色素、酵素）であればよい。なお、当該標識物質は、第１の特異的結合物質と直接結合していてもよいし、第１の特異的結合物質に対する特異的結合物質（以下、「第２の特異的結合物質」と呼ぶ）と直接結合していてもよい。第２の特異的結合物質としては、例えば、第１の特異的結合物質に特異的に結合する物質（例えば、抗体（二次抗体））を挙げることができる。
【００４２】
標識物質としては、例えば、フルオレセインイソチオシアネート；２−（３−イミニオ−４，５−ジスルホナト−６−アミノ−３Ｈ−キサンテン−９−イル）−５−［［５−（２，５−ジオキソ−３−ピロリン−１−イル）ペンチル］カルバモイル］安息香酸（例えば、Ｉｎｖｉｔｒｏｇｅｎ社製のＡｌｅｘａ  Ｆｌｕｏｒ  ４８８）；６−（２−カルボキシラト−４−カルボキシフェニル）−１，２，１０，１１−テトラヒドロ−１，２，２，１０，１０，１１−ヘキサメチル−４，８−ビス−（スルホメチル）−１，１１−ジアザ−１３−オキソニアペンタセン（例えば、Ｉｎｖｉｔｒｏｇｅｎ社製のＡｌｅｘａ  Ｆｌｕｏｒ  ５９４）；ペルオキシダーゼ；アルカリホスファターゼを挙げることができる。
【００４３】
第１の特異的結合物質に結合した標識物質の検出は、例えば、光学顕微鏡（例えば、蛍光顕微鏡、及び共焦点レーザー顕微鏡）、画像解析装置（例えば、蛍光イメージングアナライザー）、又はフローサイトメトリー装置（蛍光フローサイトメーター、及びイメージングフローサイトメーター）を用いて目視による検出や、蛍光強度などの数値による検出として行うことができる。
【００４４】
〔Ａ−２〕一次繊毛数の検出結果
被験体における一次繊毛数の検出結果（例えば、式（Ｉ）又は式（ＩＩ）にて算出した、免疫関連細胞の一次繊毛の形成率の値Ａ）は、比較対象における一次繊毛数の検出結果（例えば、式（Ｉ）又は式（ＩＩ）にて算出した、免疫関連細胞の一次繊毛の形成率の値Ｂ）を基準として、複数に分類することが可能である。なお、Ａ及びＢの値は、複数の試験結果の平均値又は中央値であってもよい。
【００４５】
例えば、Ｂの値よりもＡの値が少し増加している場合には、被験体における一次繊毛数の検出結果は「微増」に分類され、Ｂの値よりもＡの値が大幅に増加している場合には、被験体における一次繊毛数の検出結果は「増加」に分類され、Ｂの値よりもＡの値が少し減少している場合には、被験体における一次繊毛数の検出結果は「微減」に分類され、Ｂの値よりもＡの値が大幅に減少している場合には、被験体における一次繊毛数の検出結果は「減少」に分類され、Ｂの値とＡの値とが略同じである場合には、被験体における一次繊毛数の検出結果は「変化なし」に分類され得る。
【００４６】
なお、「微増」と「増加」とを区別するＡの値の臨界値、及び、「微減」と「減少」とを区別するＡの値の臨界値は、限定されず、試験される被験体、及び／又は、比較対象に応じて、設定すればよい。
【００４７】
一例として、「Ｂ＜Ａ＜２×Ｂ」の場合には、被験体における一次繊毛数の検出結果は「微増」に分類され、「２×Ｂ≦Ａ」の場合には、被験体における一次繊毛数の検出結果は「増加」に分類され、「０．５×Ｂ＜Ａ＜Ｂ」の場合には、被験体における一次繊毛数の検出結果は「微減」に分類され、「Ａ≦０．５×Ｂ」の場合には、被験体における一次繊毛数の検出結果は「減少」に分類され、「Ａ＝Ｂ」の場合には、被験体における一次繊毛数の検出結果は「変化なし」に分類され得る。
【００４８】
上述した「減少」、「微減」、「変化なし」、「微増」及び「増加」からなる５段階の分類を、「減少」、「変化なし」及び「増加」からなる３段階の分類に、分類し直してもよい。例えば、５段階の分類における「減少」及び「微減」を３段階の分類における「減少」に分類し、５段階の分類における「変化なし」を３段階の分類における「変化なし」に分類し、５段階の分類における「微増」及び「増加」を３段階の分類における「増加」に分類してもよい。また、５段階の分類における「減少」を３段階の分類における「減少」に分類し、５段階の分類における「微減」、「変化なし」及び「微増」を３段階の分類における「変化なし」に分類し、５段階の分類における「増加」を３段階の分類における「増加」に分類してもよい。勿論、本発明は、これらの分類に限定されない。
【００４９】
勿論、上述した分類は例示にすぎず、本発明は、これらの分類に限定されない。分類（例えば、分類の数、分類の閾値）は、試験される被験体、及び／又は、比較対象に応じて、設定することが可能である。例えば、本発明の一実施形態の皮膚疾患の指標の検出方法では、「微増」、「増加」、「微減」、「減少」及び「変化なし」からなる群から選択される少なくとも２つの分類（例えば、「微増」、「増加」及び「変化なし」）を用いることが可能である。
【００５０】
比較対象は、特に限定されず、例えば、被験体とは別の生体から採取された正常な皮膚組織であってもよく、被験体から採取された正常な皮膚組織であってもよい。皮膚疾患の発症リスクをより精度高く判定するという観点から、比較対象は、被験体から採取された正常な皮膚組織であることが好ましい。
【００５１】
〔Ｂ−１〕ロリクリン量及び／又はフィラグリン量の検出
本実施の形態の皮膚疾患の指標の検出方法では、皮膚疾患の指標の１つとして、免疫関連細胞におけるロリクリン量、及び／又は、フィラグリン量を検出する。
【００５２】
ロリクリン量及び／又はフィラグリン量の検出は、（ａ）ロリクリン及び／又はフィラグリンのタンパク質の量を検出することによって行われてもよいし、（ｂ）ロリクリン及び／又はフィラグリンのｍＲＮＡの量を検出することによって行われてもよい。皮膚疾患の発症リスクをより精度高く判定するという観点から、ロリクリン及び／又はフィラグリンのタンパク質の量を間接的に検出する（ｂ）の方法よりも、ロリクリン及び／又はフィラグリンのタンパク質の量を直接的に検出する（ａ）の方法の方が好ましい。
【００５３】
上述した（ａ）の方法の場合、ロリクリン量及び／又はフィラグリン量の検出は、例えば、公知の免疫組織化学染色法によって行うことができる。具体的に、ロリクリン量及び／又はフィラグリン量の検出は、被験検体含有試料（例えば、被験検体をパラフィン包埋切片化したもの）と、ロリクリンタンパク質、又はフィラグリンタンパク質に対する特異的結合物質（以下、「第３の特異的結合物質」と呼ぶ）とを接触させて、第３の特異的結合物質を被験検体含有試料に含まれるロリクリンタンパク質、又はフィラグリンタンパク質に結合させ、当該第３の特異的結合物質に結合した標識物質を検出することによって行うことができる。なお、被験検体含有試料（例えば、被験検体をパラフィン包埋切片化したもの）の作製方法は、限定されず、公知の方法を用いることができる。
【００５４】
第３の特異的結合物質としては、ロリクリンタンパク質、又はフィラグリンタンパク質に特異的に結合する物質（例えば、抗体（一次抗体））を挙げることができる。当該抗体としては、例えば、モノクローナル抗体、ポリクローナル抗体、及びこれら抗体の断片（例えば、Ｆａｂフラグメント、Ｆ（ａｂ’）２フラグメント、及び単鎖抗体）を挙げることができる。当該抗体の作製方法は、基本的に上述した「〔Ａ−１〕一次繊毛数の検出」の欄にて説明した方法を用いればよく、当該方法に用いる抗原として、ロリクリンタンパク質、又はフィラグリンタンパク質を用いればよい。
【００５５】
上述した（ｂ）の方法の場合、ロリクリン量及び／又はフィラグリン量の検出は、例えば、公知のｉｎ  ｓｉｔｕ  ｈｙｂｒｉｄｉｚａｔｉｏｎによって行うことができる。具体的に、ロリクリン量及び／又はフィラグリン量の検出は、被験検体含有試料と、ロリクリンｍＲＮＡ、又はフィラグリンｍＲＮＡとハイブリダイズするプローブとを接触させて、プローブを被験検体含有試料に含まれるロリクリンｍＲＮＡ、又は、フィラグリンｍＲＮＡにハイブリダイズさせ、当該プローブに結合した標識物質を検出することによって行うことができる。なお、被験検体含有試料の作製方法は、限定されず、公知の方法を用いることができる。
【００５６】
標識物質としては、「〔Ａ−１〕一次繊毛数の検出」の欄にて説明した標識物質を用いればよく、標識物質の検出は、「〔Ａ−１〕一次繊毛数の検出」の欄にて説明した方法にしたがって行えばよい。
【００５７】
ロリクリン量及び／又はフィラグリン量は、タンパク質の量、及び／又は、ｍＲＮＡの量として具体的に検出されてもよいが、これらの量を反映する前記標識物質に由来するシグナル（例えば、蛍光、又は色など）の強度として検出され得る。
【００５８】
〔Ｂ−２〕ロリクリン量及び／又はフィラグリン量の検出結果
被験体におけるロリクリン量、又はフィラグリン量の検出結果（例えば、検出された標識物質に由来するシグナルの強度Ｃ）は、比較対象におけるロリクリン量、又はフィラグリン量の検出結果（例えば、検出された標識物質に由来するシグナルの強度Ｄ）を基準として、複数に分類することが可能である。なお、Ｃ及びＤの値は、複数の試験結果の平均値又は中央値であってもよい。
【００５９】
例えば、Ｄの値よりもＣの値が少し増加している場合には、ロリクリン量、又はフィラグリン量の検出結果は「微増」に分類され、Ｄの値よりもＣの値が大幅に増加している場合には、被験体におけるロリクリン量、又はフィラグリン量の検出結果は「増加」に分類され、Ｄの値よりもＣの値が少し減少している場合には、被験体におけるロリクリン量、又はフィラグリン量の検出結果は「微減」に分類され、Ｄの値よりもＣの値が大幅に減少している場合には、被験体におけるロリクリン量、又はフィラグリン量の検出結果は「減少」に分類され、Ｄの値とＣの値とが略同じである場合には、被験体におけるロリクリン量、又はフィラグリン量の検出結果は「変化なし」に分類され得る。
【００６０】
なお、「微増」と「増加」とを区別するＣの値の臨界値、及び、「微減」と「減少」とを区別するＣの値の臨界値は、限定されず、試験される被験体、及び／又は、比較対象に応じて、設定すればよい。
【００６１】
一例として、「Ｄ＜Ｃ＜２×Ｄ」の場合には、被験体におけるロリクリン量、又はフィラグリン量の検出結果は「微増」に分類され、「２×Ｄ≦Ｃ」の場合には、被験体におけるロリクリン量、又はフィラグリン量の検出結果は「増加」に分類され、「０．５×Ｄ＜Ｃ＜Ｄ」の場合には、被験体におけるロリクリン量、又はフィラグリン量の検出結果は「微減」に分類され、「Ｃ≦０．５×Ｄ」の場合には、被験体におけるロリクリン量、又はフィラグリン量の検出結果は「減少」に分類され、「Ｃ＝Ｄ」の場合には、被験体におけるロリクリン量、又はフィラグリン量の検出結果は「変化なし」に分類され得る。
【００６２】
上述した「減少」、「微減」、「変化なし」、「微増」及び「増加」からなる５段階の分類を、「減少」、「変化なし」及び「増加」からなる３段階の分類に、分類し直してもよい。例えば、５段階の分類における「減少」及び「微減」を３段階の分類における「減少」に分類し、５段階の分類における「変化なし」を３段階の分類における「変化なし」に分類し、５段階の分類における「微増」及び「増加」を３段階の分類における「増加」に分類してもよい。また、５段階の分類における「減少」を３段階の分類における「減少」に分類し、５段階の分類における「微減」、「変化なし」及び「微増」を３段階の分類における「変化なし」に分類し、５段階の分類における「増加」を３段階の分類における「増加」に分類してもよい。勿論、本発明は、これらの分類に限定されない。
【００６３】
勿論、上述した分類は例示にすぎず、本発明は、これらの分類に限定されない。分類（例えば、分類の数、分類の閾値）は、試験される被験体、及び／又は、比較対象に応じて、設定することが可能である。例えば、本発明の一実施形態の皮膚疾患の指標の検出方法では、「微増」、「増加」、「微減」、「減少」及び「変化なし」からなる群から選択される少なくとも２つの分類（例えば、「微減」、「減少」及び「変化なし」）を用いることが可能である。
【００６４】
比較対象は、特に限定されず、例えば、被験体とは別の生体から採取された正常な皮膚組織であってもよく、被験体から採取された正常な皮膚組織であってもよい。皮膚疾患の発症リスクをより精度高く判定するという観点から、比較対象は、被験体から採取された正常な皮膚組織であることが好ましい。
【００６５】
〔Ｃ〕皮膚疾患の発症リスクの判定の例
本発明の一実施形態の皮膚疾患の指標の検出方法では、一次繊毛数と、ロリクリン量及び／又はフィラグリン量とに基づいて、皮膚疾患の発症リスクを判定することができる。より具体的に、本発明の一実施形態の皮膚疾患の指標の検出方法では、前記「〔Ａ−２〕一次繊毛数の検出結果」の欄にて説明した一次繊毛数に基づく分類と、前記「〔Ｂ−２〕ロリクリン量及び／又はフィラグリン量の検出結果」の欄にて説明したロリクリン量及び／又はフィラグリン量に基づく分類とに基づいて、皮膚疾患の発症リスクを判定することができる。
【００６６】
例えば、「〔Ａ−２〕一次繊毛数の検出結果」の欄にて説明したように、被験体における一次繊毛数の検出結果を５種類に分類することができる。また、「〔Ｂ−２〕ロリクリン量及び／又はフィラグリン量の検出結果」の欄にて説明したように、被験体におけるロリクリン量の検出結果を５種類に分類することができ、被験体におけるフィラグリン量の検出結果を５種類に分類することができる。
【００６７】
本発明の一実施形態の皮膚疾患の指標の検出方法が、（ｉ）一次繊毛数と、（ｉｉ）ロリクリン量と、を検出する工程を含む場合には、一例として、２５種類（＝５×５）、１５種類（＝５×３）、又は９種類（＝３×３）の皮膚疾患の指標を提供することができる。本発明の一実施形態の皮膚疾患の指標の検出方法が、（ｉ）一次繊毛数と、（ｉｉ）フィラグリン量と、を検出する工程を含む場合には、一例として、２５種類（＝５×５）、１５種類（＝５×３）、又は９種類（＝３×３）の皮膚疾患の指標を提供することができる。本発明の一実施形態の皮膚疾患の指標の検出方法が、（ｉ）一次繊毛数と、（ｉｉ）ロリクリン量及びフィラグリン量と、を検出する工程を含む場合には、一例として、１２５種類（＝５×５×５）、４５種類（＝５×３×３）、又は２７種類（＝３×３×３）の皮膚疾患の指標を提供することができる。
【００６８】
これらの指標は、皮膚疾患の重症度の指標として利用することも可能であり、皮膚疾患の種類の指標として利用することも可能である。
【００６９】
例えば、前記「〔Ａ−２〕一次繊毛数の検出結果」の欄にて説明した一次繊毛数に基づく分類と、前記「〔Ｂ−２〕ロリクリン量及び／又はフィラグリン量の検出結果」の欄にて説明したロリクリン量及び／又はフィラグリン量に基づく分類とが、表１に示す組み合わせの場合には、表１に示す特定の皮膚疾患の発症リスクが高いと判定することができる。なお、表１において「−」は、特定の皮膚疾患の発症リスクとの関連性について未検討であることを示している。
【００７０】
【表１】
2020165792.tif 000002
【００７１】
表１に示した皮膚疾患は、あくまでも例示に過ぎず、本発明は、これらの皮膚疾患に限定されない。
【００７２】
〔２．評価方法〕
本発明の一実施形態の評価方法は、被験試料が皮膚疾患に対する抑制作用を有する物質であるか否かを評価する評価方法であって、皮膚疾患を罹患した被験体から採取された免疫関連細胞に被験試料を接触させる工程と、前記被験試料を接触させた免疫関連細胞における（ｉ）一次繊毛数と、（ｉｉ）ロリクリン量及び／又はフィラグリン量を検出する工程と、を有する。
【００７３】
上述したように、本発明の一実施形態の評価方法は、皮膚疾患を罹患した被験体から採取された免疫関連細胞に被験試料を接触させる工程を有する。
【００７４】
前記皮膚疾患は、特に限定されず、例えば、アトピー性皮膚炎、尋常性乾癬、膿疱性乾癬、掌蹠膿疱症、尋常性魚鱗癬、紅斑性角化症局面、及びロリクリン角化症を挙げることができる。比較的症状が重く、各疾患に適した治療が必要であるという観点から、皮膚疾患は、アトピー性皮膚炎、尋常性乾癬、膿疱性乾癬、及び掌蹠膿疱症が好ましい。
【００７５】
前記被験体は、特に限定されず、例えば、ヒト、及び非ヒト動物を挙げることができる。非ヒト動物は、特に限定されず、例えば、実験動物、愛玩動物、及び家畜を挙げることができ、より具体的に、マウス、ラット、ウサギ、ネコ、イヌ、ウシ、ヒツジ、ヤギ、ブタ、及びウマを挙げることができる。前記被験体は、上述したヒト、又は非ヒト動物から採取された組織（例えば、皮膚組織）であってもよい。
【００７６】
前記免疫関連細胞には、免疫反応を主に担当する免疫細胞と、免疫細胞に間接的に関与する免疫機能保有細胞とが包含される。免疫機能保有細胞は、例えば、免疫細胞を活性化させる機能を有している。免疫細胞としては、例えば、皮膚樹状細胞（例えば、ランゲルハンス細胞、真皮樹状細胞など）、リンパ球系の免疫細胞（例えば、Ｔ細胞、ＮＫ細胞、Ｂ細胞など）、及び単球系の免疫細胞（例えば、通常型樹状細胞、単球系樹状細胞（例えば、形質細胞様樹状細胞））を挙げることができる。一方、免疫機能保有細胞としては、例えば、ケラチノサイト、繊維芽細胞、及び上皮細胞を挙げることができる。皮膚疾患の発症リスクをより精度高く判定するという観点から、免疫細胞としては、ケラチノサイトが好ましい。
【００７７】
前記被験試料は、特に限定されず、例えば、無機化合物、有機化合物、植物抽出物、微生物抽出物、及び各種細胞の培養上清を挙げることができる。被験試料は、そのままの状態にて用いられてもよく、溶媒に溶解された状態にて用いられてもよい。当該溶媒としては、例えば、生理食塩水、リン酸緩衝生理食塩水、及び水を挙げることができる。
【００７８】
免疫関連細胞に被験試料を接触させる工程では、免疫関連細胞に被験試料を接触させた後、当該免疫関連細胞を、所望の時間、培養することが可能である。なお、当該培養の間、免疫関連細胞と被験試料とは接触していなくてもよいし、免疫関連細胞と被験試料とは接触していてもよい。なお、培養時間は、特に限定されず、１日〜３日であってもよく、１日〜７日であってもよく、７日以上であってもよい。
【００７９】
上述したように、本発明の一実施形態の評価方法は、被験試料を接触させた免疫関連細胞における（ｉ）一次繊毛数と、（ｉｉ）ロリクリン量及び／又はフィラグリン量を検出する工程を有する。一次繊毛数の検出方法と、ロリクリン量及び／又はフィラグリン量の検出方法とは、上述した〔１．皮膚疾患の指標の検出方法〕の欄にて既に説明したので、ここでは、その説明を省略する。
【００８０】
本発明の一実施形態の評価方法は、被験試料を接触させた免疫関連細胞における（ｉ）一次繊毛数と、（ｉｉ）ロリクリン量及び／又はフィラグリン量を検出する工程の後に、検出結果に基づいて、被験試料が皮膚疾患に対する抑制作用を有する物質であるか否かを評価する工程を有していてもよい。
【００８１】
皮膚疾患を罹患した被験体から採取された免疫関連細胞の（ｉ）一次繊毛数と、（ｉｉ）ロリクリン量及び／又はフィラグリン量とは、正常な被験体から採取された免疫関連細の（ｉ）一次繊毛数と、（ｉｉ）ロリクリン量及び／又はフィラグリン量とは、異なる値を示す。評価する工程では、皮膚疾患を罹患した被験体から採取された免疫関連細胞に被験試料を接触させることによって、当該免疫関連細胞の（ｉ）一次繊毛数と、（ｉｉ）ロリクリン量及び／又はフィラグリン量とが、正常な被験体から採取された免疫関連細の（ｉ）一次繊毛数と、（ｉｉ）ロリクリン量及び／又はフィラグリン量に近づけば、当該被験試料は皮膚疾患に対する抑制作用を有する物質であると判定することができる。
【００８２】
例えば、皮膚疾患を罹患した被験体から採取された免疫関連細胞における一次繊毛数の検出結果（例えば、式（Ｉ）又は式（ＩＩ）にて算出した、免疫関連細胞の一次繊毛の形成率の値Ａ）は、正常な被験体から採取された免疫関連細胞における一次繊毛数の検出結果（例えば、式（Ｉ）又は式（ＩＩ）にて算出した、免疫関連細胞の一次繊毛の形成率の値Ｂ）を基準として、複数に分類（例えば、「微増」、「増加」、「微減」、「減少」又は「変化なし」）することが可能である。
【００８３】
また、皮膚疾患を罹患した被験体から採取された免疫関連細胞におけるロリクリン量及び又はフィラグリン量の検出結果（例えば、検出された標識物質に由来するシグナルの強度Ｃ）は、正常な被験体から採取された免疫関連細胞におけるロリクリン量及び又はフィラグリン量の検出結果（例えば、検出された標識物質に由来するシグナルの強度Ｄ）を基準として、複数に分類（例えば、「微増」、「増加」、「微減」、「減少」又は「変化なし」）することが可能である。
【００８４】
評価する工程では、被験試料を接触させる前に「微増」、「増加」、「微減」又は「減少」に分類されていた検出結果（（ｉ）値Ａ、並びに、（ｉｉ）ロリクリン量に関する強度Ｃ、及び／又は、フィラグリン量に関する強度Ｃ）が、被験試料を接触させた後に「変化なし」に分類される検出結果に近づいた場合に、被験試料が皮膚疾患に対する抑制作用を有する物質であると判定することができる。また、評価する工程では、被験試料を接触させる前に「微増」、「増加」、「微減」又は「減少」に分類されていた検出結果（（ｉ）値Ａ、並びに、（ｉｉ）ロリクリン量に関する強度Ｃ、及び又は、フィラグリン量に関する強度Ｃ）が、被験試料を接触させた後に「変化なし」に分類される検出結果により近づいた場合に、被験試料が皮膚疾患に対するより強い抑制作用を有する物質であると判定することができる。
【００８５】
〔３．ロリクリン量及び／又はフィラグリン量の増加剤〕
後述する実施例にて実証しているように、皮膚疾患を患うと、免疫関連細胞における一次繊毛数が増加する傾向を示す。更に、後述する実施例にて実証しているように、免疫関連細胞における一次繊毛数が増加すると、ロリクリン量及び／又はフィラグリン量が減少する傾向を示す。このことは、一次繊毛を有する免疫関連細胞から一次繊毛を除去する作用を有する一次繊毛除去作用物質が、ロリクリン量及び／又はフィラグリン量を増加させ得ることを示唆している。
【００８６】
本発明の一実施形態のロリクリン量及び／又はフィラグリン量の増加剤は、一次繊毛を有する免疫関連細胞から一次繊毛を除去する作用を有する一次繊毛除去作用物質を有効成分として含有している。
【００８７】
一次繊毛除去作用物質としては、特に限定されず、例えば、ステロイド剤、及び生理活性物質を挙げることができる。
【００８８】
ステロイド剤としては、例えば、コルチゾン系ステロイド剤（例えば、コルチゾン、酢酸コルチゾン）、ヒドロコルチゾン系ステロイド剤（例えば、ヒドロコルチゾン、リン酸ヒドロコルチゾンナトリウム、コハク酸ヒドロコルチゾンナトリウム、酢酸ヒドロコルチゾン、酪酸ヒドロコルチゾン、酪酸プロピオン酸ヒドロコルチゾン）、デキサメタゾン系ステロイド剤（例えば、デキサメタゾン、プロピオン酸デキサメタゾン、吉草酸デキサメタゾン、酢酸デキサメタゾン、リン酸デキサメタゾンナトリウム、パルミチン酸デキサメタゾン）、ベタメゾン系ステロイド剤（例えば、ベタメタゾン、ジプロピオン酸ベタメタゾン、酪酸プロピオン酸ベタメタゾン、吉草酸ベタメタゾン）、プレドニゾロン系ステロイド剤（例えば、プレドニゾロン、酢酸プレドニゾロン、コハク酸プレドニゾロンナトリウム、ブチル酢酸プレドニゾロン、リン酸プレドニゾロンナトリウム）、メチルプレドニゾロン系ステロイド剤（例えば、メチルプレドニゾロン、酢酸メチルプレドニゾロン、コハク酸メチルプレドニゾロンナトリウム、メチルプレドニゾロンナトリウムスクシネート）、及びトリアムシノロン系ステロイド剤（例えば、トリアムシノロン、酢酸トリアムシノロン、トリアムシノロンアセトニド）が挙げられる。生理活性物質としては、例えば、腫瘍壊死因子α（ＴＮＦα）、及びプロスタグランジンＥ２が挙げられる。
【００８９】
一次繊毛除去作用物質は、溶媒和物を形成していてもよい。溶媒和物としては、例えば、水和物、エタノール付加物、ジメチルスルホキシド付加物が挙げられる。
【００９０】
本発明の一実施形態のロリクリン量及び／又はフィラグリン量の増加剤は、有効成分以外の成分を含有していてもよい。当該有効成分以外の成分としては、特に限定されないが、緩衝剤、ｐＨ調整剤、等張化剤、防腐剤、抗酸化剤、高分子量重合体、賦形剤、担体、希釈剤、溶媒、可溶化剤、安定剤、充填剤、結合剤、界面活性剤、安定化剤等が挙げられる。
【００９１】
本発明の一実施形態のロリクリン量及び／又はフィラグリン量の増加剤に含有されている有効成分の量は、特に限定されず、例えば、増加剤を１００重量％とした場合に、０．００１重量％〜１００重量％であってもよく、０．０１重量％〜１００重量％であってもよく、０．１重量％〜１００重量％であってもよく、０．１重量％〜９５重量％であってもよく、０．１重量％〜９０重量％であってもよく、０．１重量％〜８０重量％であってもよく、０．１重量％〜７０重量％であってもよく、０．１重量％〜６０重量％であってもよく、０．１重量％〜５０重量％であってもよく、０．１重量％〜４０重量％であってもよく、０．１重量％〜３０重量％であってもよく、０．１重量％〜２０重量％であってもよく、０．１重量％〜１０重量％であってもよい。
【００９２】
本発明の一実施形態のロリクリン量及び／又はフィラグリン量の増加剤に含有されている有効成分以外の量は、特に限定されず、例えば、増加剤を１００重量％とした場合に、０重量％〜９９．９９９重量％であってもよく、０重量％〜９９．９９重量％であってもよく、０重量％〜９９．９重量％であってもよく、５重量％〜９９．９重量％であってもよく、１０重量％〜９９．９重量％であってもよく、２０重量％〜９９．９重量％であってもよく、３０重量％〜９９．９重量％であってもよく、４０重量％〜９９．９重量％であってもよく、５０重量％〜９９．９重量％であってもよく、６０重量％〜９９．９重量％であってもよく、７０重量％〜９９．９重量％であってもよく、８０重量％〜９９．９重量％であってもよく、９０重量％〜９９．９重量％であってもよい。
【００９３】
本発明の一実施形態のロリクリン量及び／又はフィラグリン量の増加剤に含有されている有効成分の量は、例えば、増加剤を１００重量％とした場合に、下限値が０．０００００１重量％以上、又は０．０００１重量％以上であり、上限値が５重量％以下、又は１重量％以下であってもよい。当該構成であれば、十分にロリクリン量及び／又はフィラグリン量を増加させることができるのみならず、正常細胞に対する負荷を低減することができる。
【００９４】
〔４．皮膚疾患の検査キット〕
本発明の一態様に係る皮膚疾患の検査キットは、（ｉ）一次繊毛に対する特異的結合物質と、（ｉｉ）ロリクリンに対する特異的結合物質及び／又はフィラグリンに対する特異的結合物質と、を備えている。本検査キットは、上述した皮膚疾患の検出方法のために使用し得る。
【００９５】
本発明の一態様に係る皮膚疾患の検査キットは、一次繊毛に対する特異的結合物質と、ロリクリンに対する特異的結合物質及び／又はフィラグリンに対する特異的結合物質と、を備えているので、被験体から採取された免疫関連細胞における一次繊毛数と、ロリクリン量及び／又はフィラグリン量と、を迅速かつ容易に調べることができる。したがって、本発明の一態様に係る皮膚疾患の検査キットによれば、皮膚疾患を迅速かつ容易に検査することができる。
【００９６】
一次繊毛に対する特異的結合物質としては、例えば、上述した「〔Ａ−１〕一次繊毛数の検出」の欄にて説明した「第１の特異的結合物質」を挙げることができる。当該第１の特異的結合物質は、標識物質と複合化されていてもよく、標識物質と複合化されていなくてもよい。当該第１の特異的物質の具体的な構成については既に説明したので、ここではその説明を省略する。
【００９７】
第１の特異的結合物質が標識物質と複合化されていない場合、本発明の一態様に係る皮膚疾患の検査キットは、第１の特異的結合物質に対する特異的結合物質（第２の特異的結合物質）を備え得る。そして、当該第２の特異的結合物質が、標識物質と複合化され得る。
【００９８】
ロリクリンに対する特異的結合物質及びフィラグリンに対する特異的結合物質としては、例えば、上述した「〔Ｂ−１〕ロリクリン量及び／又はフィラグリン量の検出」の欄にて説明した「第３の特異的結合物質」を挙げることができる。当該第３の特異的結合物質は、例えば、ロリクリンタンパク質、又はフィラグリンタンパク質に対する特異的結合物質であってもよく、ロリクリンｍＲＮＡ、又はフィラグリンｍＲＮＡとハイブリダイズするプローブであってもよい。当該第３の特異的結合物質は、標識物質と複合化されていてもよく、標識物質と複合化されていなくてもよい。当該第３の特異的物質の具体的な構成については既に説明したので、ここではその説明を省略する。
【００９９】
第３の特異的結合物質が標識物質と複合化されていない場合、本発明の一態様に係る皮膚疾患の検査キットは、第３の特異的結合物質に対する特異的結合物質（第４の特異的結合物質）を備え得る。そして、当該第４の特異的結合物質が、標識物質と複合化され得る。
【０１００】
本発明の一態様に係る皮膚疾患の検査キットは、免疫関連細胞の種類を同定するための同定試薬；検査に用いられる試料の調製用の試薬（例えば、固定液、洗浄液、ブロッキング剤など）；及び／又は、結合反応用緩衝液を備えていてもよい。
【０１０１】
同定試薬としては、例えば、免疫関連細胞の種類に応じたマーカーに対する抗体（例えば、抗ＣＤ１ａ抗体、抗ＣＤ１４抗体、抗ＣＤ３抗体、抗ＣＤ２０抗体、抗ＣＤ４抗体、抗ＣＤ８抗体、抗ＣＤ５６抗体、抗ランゲリン抗体、抗ＣＤ２０５抗体、抗ＣＤ１１Ｃ抗体、抗ＣＤ１２３抗体、及び抗ＨＬＡ−ＤＲ抗体）を挙げることができる。免疫関連細胞の種類に応じたマーカーとしては、例えば、ランゲルハンス細胞マーカー（例えば、ランゲリン（ＣＤ２０７）、ＣＤ１ａ、及びＣＤ２０５）及び単球系樹状細胞マーカー（例えば、ＣＤ１１ｃ、ＣＤ１２３、及びＨＬＡ−ＤＲ）を挙げることができる。
【０１０２】
また、同定試薬としては、例えば、免疫機能保有細胞の種類に応じたマーカーに対する抗体（例えば、抗ケラチン１抗体、抗ケラチン１０抗体、抗インボルクリン抗体、抗α平滑筋アクチン抗体、抗ビメンチン抗体、抗サイトケラチン抗体、及び抗Ｅ−カドヘリン抗体）を挙げることができる。免疫機能保有細胞の種類に応じたマーカーとしては、例えば、ケラチノサイトマーカー（例えば、ケラチン１、ケラチン１０、及びインボルクリン）、繊維芽細胞マーカー（例えば、α平滑筋アクチン、及びビメンチン）、及び上皮細胞マーカー（例えば、サイトケラチン、及びＥ−カドヘリン）を挙げることができる。
【０１０３】
固定液としては、例えば、アセトン、メタノール、アセトンとメタノールとの混合液、ホルムアルデヒド水溶液、ホルムアルデヒドを含有するリン酸緩衝液、パラホルムアルデヒド水溶液、パラホルムアルデヒドを含有するリン酸緩衝生理食塩水、及びパラホルムアルデヒドを含有するリン酸緩衝液を挙げることができる。
【０１０４】
洗浄液としては、例えば、リン酸緩衝生理食塩水を挙げることができる。ブロッキング剤としては、例えば、アルブミンを含有するリン酸緩衝生理食塩水、アルブミンを含有するリン酸緩衝液、及びアルブミンと界面活性剤とを含有するリン酸緩衝生理食塩水を挙げることができる。
【０１０５】
第１の特異的結合物質、及び第３の特異的結合物質は、グリセロール、エチレングリコール、ウシ血清アルブミン、２−メルカプトエタノール、ジチオスレイトール、及びエチレンジアミン四酢酸からなる群から選択される少なくとも１つの安定化剤を含む緩衝液が入った容器中に封入されていてもよく、乾燥された状態にて容器中に封入されていてもよい。当該緩衝液としては、第１の特異的結合物質、及び第３の特異的結合物質が安定して存在し得るｐＨを有する緩衝液を挙げることができる。上述した同定試薬、固定液、洗浄液、及びブロッキング剤は、通常、第１の特異的結合物質及び／又は第３の特異的結合物質を封入する容器とは別の容器中に封入され得る。
【０１０６】
本発明の一態様に係る皮膚疾患の検査キットは、皮膚疾患の発症リスクの判定の例を示した判定表を備えていてもよい。当該構成によれば、客観的かつ定量的に、皮膚疾患の発症リスクを判定することができる。判定表に示されるデータとしては、例えば、上述した「〔Ｃ〕皮膚疾患の発症リスクの判定の例」の欄にて例示した表に示されるデータを挙げることができる。なお、判定表の形態は、特に限定されず、例えば、データが印刷された紙の形態であってもよいし、データが保存された記録媒体（例えば、ＲＯＭ（Read Only Memory）、テープ、ディスク、カード、半導体メモリ、プログラマブルな論理回路）の形態であってもよい。
【０１０７】
本発明の一態様に係る皮膚疾患の検査キットは、一次繊毛に対する特異的結合物質と、ロリクリンに対する特異的結合物質及び／又はフィラグリンに対する特異的結合物質と、を備えているので、皮膚疾患を迅速かつ容易に検査することができる。したがって、本発明の一態様に係る皮膚疾患の検査キットは、皮膚疾患抑制薬又は皮膚疾患治療薬の開発；検査機関又は医療機関の検査部などにおける皮膚疾患の検査；医療機関における医師による皮膚疾患の診断などに用いられ得る。
【実施例】
【０１０８】
＜１．皮膚疾患と一次繊毛数との関係の検討＞
様々な皮膚疾患（アトピー性皮膚炎、尋常性乾癬、膿疱性乾癬、又は掌蹠膿疱症）を患っている患者の病変部に由来する皮膚生検のパラフィン包埋サンプル、及び、当該患者の正常部に由来する皮膚生検のパラフィン包埋サンプルを、キシレンを用いて脱パラフィン化した。
【０１０９】
脱パラフィン化されたサンプルを浸す溶液を、１００％エタノールから精製水に変更することによって、サンプルに対して徐々に加水した。当該サンプルを１５分間煮沸することによって、サンプル中に含まれる抗原の賦活化を行った。
【０１１０】
当該サンプルを、ブロッキング処理、及び透過処理を行うための溶液中でインキュベーションすることによって、当該サンプルに対して、ブロッキング処理、及び透過処理を施した。
【０１１１】
当該サンプルと、抗チューブリン抗体〔シグマ−アルドリッチ社製、商品名：ＭＯＮＯＣＬＯＮＡＬ  ＡＮＴＩ−ＡＣＥＴＹＬＡＴＥＤ  ＴＵＢＵＬＩＮ  ＣＬＯＮＥ  ６−１１Ｂ−１、品番：Ｔ６７９３〕とを、一晩４℃にて反応させた。
【０１１２】
反応後のサンプルを、界面活性剤含有ＰＢＳ溶液を用いて洗浄した。洗浄後のサンプルと、蛍光色素にて標識された抗マウスＩｇＧ抗体〔アブカム社製、商品名：Ｇｏａｔ  Ａｎｔｉ−Ｍｏｕｓｅ  ＩｇＧ  Ｈ＆Ｌ（蛍光色素：Ａｌｅｘａ  Ｆｌｕｏｒ（登録商標）４８８、カタログナンバー：ａｂ１５０１１３）〕と、核染色剤Ｈｏｅｃｈｓｔ  ３３３４２〔サーモフィッシャー社製、商品名：Hoechst 33342, Trihydrochloride, Trihydrate - 10 mg/mL Solution in Water、品番：H3570〕とを、室温（２５℃）にて１時間反応させることによって、サンプルを染色した。染色後のサンプルを、界面活性剤含有ＰＢＳ溶液を用いて洗浄した。
【０１１３】
洗浄後のサンプルを、褪色防止用封入剤〔サーモ・フィッシャー・サイエンティフィック（株）製、商品名：ＰｒｏＬｏｎｇ（登録商標）  Ｇｏｌｄ褪色防止用封入剤、品番：Ｐ３６９３４〕の中に封入した。共焦点顕微鏡〔オリンパス（株）製、品番：ＦＶ１２００〕を用いて、サンプルに含まれる細胞核、及び一次繊毛マーカーを検出することによって、各サンプルに含まれる一次繊毛を有する細胞を観察した。
【０１１４】
各サンプルについて、表皮の基底部周辺、有棘層周辺、及び角質層周辺を含む範囲の画像を５枚取得し、画像中に含まれる細胞核の数と一次繊毛の数をそれぞれ測定した。その後、式（Ｉａ）にしたがって、表皮を構成する細胞の一次繊毛の形成率を算出した；
［一次繊毛の形成率］＝［画像中の一次繊毛の数］／［画像中の全細胞核数］×１００
・・・・・（Ｉａ）。
【０１１５】
図１に試験結果を示す。図１に示すように、正常部のサンプルにおける一次繊毛を有している細胞の割合を基準として、（ｉ）掌蹠膿疱症を患っている患者の病変部のサンプルにおける一次繊毛を有している細胞の割合は「微増」しており、（ｉｉ）アトピー性皮膚炎、尋常性乾癬、又は膿疱性乾癬を患っている患者の病変部のサンプルにおける一次繊毛を有している細胞の割合は「増加」していた。
【０１１６】
より具体的に、正常部のサンプル、掌蹠膿疱症を患っている患者の病変部のサンプル、アトピー性皮膚炎を患っている患者の病変部のサンプル、尋常性乾癬を患っている患者の病変部のサンプル、膿疱性乾癬を患っている患者の病変部のサンプルの各々における、一次繊毛を有している細胞の割合の中央値は、各々、１．２５％、４．４６％、１２．６４％、７．６７％、及び７．０２％であった。
【０１１７】
＜２．皮膚疾患とロリクリン量及び／又はフィラグリン量との関係の検討＞
＜２−１．ロリクリン、及びフィラグリンの染色＞
本試験では、アトピー性皮膚炎を患っている患者の病変部に由来する皮膚生検のパラフィン包埋サンプルを用いて、免疫関連細胞を含む皮膚組織中のロリクリン及びフィラグリンの染色を行った。目視にて、標準的なロリクリンの染色強度を有する皮膚組織Ａと、ロリクリンの染色強度が減少している皮膚組織Ｂと、標準的なフィラグリンの染色強度を有する皮膚組織Ｃと、フィラグリンの染色強度が減少している皮膚組織Ｄとを分類した。
【０１１８】
アトピー性皮膚炎を患っている患者の病変部に由来する皮膚生検のパラフィン包埋サンプルを、風乾させた。
【０１１９】
風乾されたサンプルを、４℃にて１５分間、氷冷アセトン中に浸し、当該サンプルを固定化した。
【０１２０】
固定化されたサンプルを風乾した後、当該サンプルを、ＰＢＳ（phosphate-buffered saline）にて洗浄し、次いで、ブロッキング剤を含むＰＢＳを用いてブロッキングした。
【０１２１】
ブロッキングされたサンプルと、ブロッキング剤を含むＰＢＳに溶解された抗ロリクリン抗体〔アブカム社製、商品名；Ａｎｔｉ−Ｌｏｒｉｃｒｉｎ抗体、カタログナンバー：ａｂ８５６７９〕とを、４℃にて一晩反応させた。
【０１２２】
また、ブロッキングされたサンプルと、ブロッキング剤を含むＰＢＳに溶解された抗フィラグリン抗体〔アブカム社製、商品名；Ａｎｔｉ−Ｆｉｌａｇｇｒｉｎ、カタログナンバー：ａｂ８１４６８〕とを、４℃にて一晩反応させた。
【０１２３】
抗ロリクリン抗体と反応させたサンプル、又は抗フィラグリン抗体と反応させたサンプルをＰＢＳにて洗浄した後、各サンプルと、ブロッキング剤を含むＰＢＳに溶解された、蛍光色素にて標識された抗ウサギＩｇＧ抗体〔インビトロジェン社製、商品名：Ｇｏａｔ  Ａｎｔｉ−Ｒａｂｂｉｔ  ＩｇＧ  Ｈ＆Ｌ（蛍光色素：Goat anti-Rabbit IgG (H+L) Cross-Absorbed Secondary Antibody, Alexa Fluor 488、カタログナンバー：Ａ１１００８）〕とを、３７℃にて３０分間反応させることによって、サンプルを染色した。
【０１２４】
各サンプルをＰＢＳにて洗浄した後、洗浄後のサンプルを、核染色剤を含む封入剤〔ベクターラボラトリーズ社製、商品名；VECTASHIELD  Mounting Medium with DAPI、カタログナンバー；Ｈ−１２００〕を用いて封入した。
【０１２５】
共焦点顕微鏡〔オリンパス（株）製、品番：ＦＶ１２００〕を用いて染色されたサンプルを観察し、標準的なロリクリンの染色強度を有する皮膚組織Ａと、ロリクリンの染色強度が減少している皮膚組織Ｂとを分類した。
【０１２６】
アトピー性皮膚炎を患っている１０人の患者の病変部に由来する皮膚生検のパラフィン包埋サンプルを用いて、皮膚組織Ａと皮膚組織Ｂとを分類した結果、５サンプルが免皮膚組織Ｂに分類された。
【０１２７】
共焦点顕微鏡〔オリンパス（株）製、品番：ＦＶ１２００〕を用いて染色されたサンプルを観察し、標準的なフィラグリンの染色強度を有する皮膚組織Ｃと、フィラグリンの染色強度が減少している皮膚組織Ｄとを分類した。
【０１２８】
アトピー性皮膚炎を患っている１０人の患者の病変部に由来する皮膚生検のパラフィン包埋サンプルを用いて、皮膚組織Ｃと皮膚組織Ｄとを分類した結果、４サンプルが皮膚組織Ｄに分類された。
【０１２９】
＜２−２．一次繊毛の染色＞
上述のように分類された皮膚組織Ａ、皮膚組織Ｂ、皮膚組織Ｃ、及び皮膚組織Ｄの各々について、＜２−１＞の試験とは別に、一次繊毛の染色を行った。なお、一次繊毛の染色方法は、＜１．皮膚疾患と一次繊毛数との関係の検討＞の欄にて説明した方法にしたがった。
【０１３０】
共焦点顕微鏡〔オリンパス（株）製、品番：ＦＶ１２００〕を用いて染色されたサンプルを観察し、（Ａ）皮膚組織Ａ、皮膚組織Ｂ、皮膚組織Ｃ、及び皮膚組織Ｄの各々に含まれる免疫関連細胞の全数、及び、（Ｂ）皮膚組織Ａ、皮膚組織Ｂ、皮膚組織Ｃ、及び皮膚組織Ｄの各々に含まれる一次繊毛を有する免疫関連細胞の数を計測した。
【０１３１】
当該計測値に基づいて、（ｉ）皮膚組織Ａに含まれる免疫関連細胞の全数に対する、一次繊毛を有する免疫関連細胞の数の比率、（ｉｉ）皮膚組織Ｂに含まれる免疫関連細胞の全数に対する、一次繊毛を有する免疫関連細胞の数の比率、（ｉｉｉ）皮膚組織Ｃに含まれる免疫関連細胞の全数に対する、一次繊毛を有する免疫関連細胞の数の比率、及び、（ｉｖ）皮膚組織Ｄに含まれる免疫関連細胞の全数に対する、一次繊毛を有する免疫関連細胞の数の比率を算出した。
【０１３２】
前記（ｉ）の結果を図２（ａ）の左側に示し、前記（ｉｉ）の結果を図２（ａ）の右側に示す。図２（ａ）から、アトピー性皮膚炎を患う患者の免疫関連細胞では、ロリクリン量が減少している患者ほど一次繊毛の増加率が高いこと、すなわちロリクリンの減少と一次繊毛の増加に相関があることが明らかになった。
【０１３３】
前記（ｉｉｉ）の結果を図２（ｂ）の左側に示し、前記（ｉｖ）の結果を図２（ｂ）の右側に示す。図２（ｂ）から、アトピー性皮膚炎を患う患者の免疫関連細胞では、フィラグリン量の減少と一次繊毛の増加率とは相関がないことが明らかになった。
【０１３４】
＜３．ケラチノサイトの分化状態に関する検討＞
ロリクリン、及びフィラグリンは、表皮の最外層である角質層の近傍に存在する、分化が進んだケラチノサイトによって生産され、角質層の形成に重要な役割を担っている。本発明者は、皮膚疾患を患っている患者の病変部におけるロリクリン及び／又はフィラグリンの発現量の異常は、ケラチノサイトの分化異常と関連しているとの独自の仮説を立て、当該仮説の正否を検討した。
【０１３５】
皮膚疾患（アトピー性皮膚炎）を患っている患者の病変部に由来する皮膚生検のパラフィン包埋サンプル、及び、当該患者の正常部に由来する皮膚生検のパラフィン包埋サンプルを、キシレンを用いて脱パラフィン化した。
【０１３６】
脱パラフィン化されたサンプルを浸す溶液を、１００％エタノールから精製水に変更することによって、サンプルに対して徐々に加水した。当該サンプルを１５分間煮沸することによって、サンプル中に含まれる抗原の賦活化を行った。
【０１３７】
当該サンプルを、ブロッキング処理、及び透過処理を行うための溶液中でインキュベーションすることによって、当該サンプルに対して、ブロッキング処理、及び透過処理を施した。
【０１３８】
当該サンプルと、抗ケラチン１４抗体〔アブカム社製、商品名：Ms mAb to Cytokeratin 14〔LL002〕、品番：ab7800〕とを、一晩４℃にて反応させた。
【０１３９】
反応後のサンプルを、界面活性剤含有ＰＢＳ溶液を用いて洗浄した。洗浄後のサンプルと、蛍光色素にて標識された抗マウスＩｇＧ抗体〔アブカム社製、商品名：Ｇｏａｔ  Ａｎｔｉ−Ｍｏｕｓｅ  ＩｇＧ  Ｈ＆Ｌ（蛍光色素：Ａｌｅｘａ  Ｆｌｕｏｒ（登録商標）４８８、カタログナンバー：ａｂ１５０１１３）〕と、核染色剤Ｈｏｅｃｈｓｔ  ３３３４２〔サーモフィッシャー社製、商品名：Hoechst 33342, Trihydrochloride, Trihydrate - 10 mg/mL Solution in Water、品番：H3570〕とを、室温（２５℃）にて１時間反応させることによって、サンプルを染色した。染色後の各サンプルを、界面活性剤含有ＰＢＳ溶液を用いて洗浄した。
【０１４０】
洗浄後のサンプルを、褪色防止用封入剤〔サーモ・フィッシャー・サイエンティフィック（株）製、商品名：ＰｒｏＬｏｎｇ（登録商標）  Ｇｏｌｄ褪色防止用封入剤、品番：Ｐ３６９３４〕の中に封入した。共焦点顕微鏡〔オリンパス（株）製、品番：ＦＶ１２００〕を用いて、サンプルに含まれるＫ１４陽性細胞を検出することによって、サンプルに含まれる未成熟なケラチノサイト（換言すれば、Ｋ１４陽性細胞）を観察した。
【０１４１】
図３（ａ）及び図３（ｂ）に試験結果を示す。なお、図３（ａ）及び図３（ｂ）の各々において、左側の像は、蛍光染色した像をグレースケールに変換した像であり、右側の像は、蛍光染色した像を白黒に変換した像である。
【０１４２】
図３（ａ）に示すように、正常部のサンプルでは、基底層周辺にＫ１４陽性細胞が多く存在するが、基底層周辺から角質層に向かって、徐々にＫ１４陽性細胞が減少した。このことは、正常な皮膚組織では、基底層周辺から角質層に向かって移動するにしたがって、ケラチノサイトの分化が進むことを示している。一方、図３（ｂ）に示すように、病変部のサンプルでは、角質層においてもＫ１４陽性細胞が多く存在した。このことは、皮膚疾患を患っている皮膚組織では、基底層周辺から角質層への移動に伴うケラチノサイトの分化が進まず、角質層においても未分化なケラチノサイトが多く存在することを示している。
【０１４３】
つまり、皮膚疾患を患っている患者の病変部におけるロリクリン及び／又はフィラグリンの発現量の異常は、ケラチノサイトの分化異常と関連しているとの発明者の仮説が正しいことが実証された。
【産業上の利用可能性】
【０１４４】
本発明は、皮膚疾患の診断、皮膚疾患薬のスクリーニング、及び皮膚疾患の治療などに、広く利用することができる。
【図１】
2020165792.tif 000003
【図２】
2020165792.tif 000004
【図３】
2020165792.tif 000005